(57)【特許請求の範囲】
【請求項１】
複数の色の現像剤を用いて画像を形成する複数の像形成手段と、
前記像形成手段によって形成された画像が下方の外周面で転写されるベルト状の転写体であって、ベルトの表面が水平方向に対して傾斜した転写体と、
前記転写体において重力方向の上方向の成分を有する方向が法線となる当該転写体の外周面から現像剤を除去し、除去した前記現像剤を通過させる通過部が重力方向の下方を向いて前記外周面と対向して設けられ、前記通過部を通過した現像剤を回収する現像剤回収手段であって、前記転写体のベルト表面に付着した現像剤を除去する除去部と、除去された現像剤を収容する収容部とを備える現像剤回収手段と、
複数の色の現像剤を用いて画像を形成するときには、当該複数の色の画像を形成するそれぞれの前記像形成手段と前記転写体とを接触させ、特定色の現像剤のみを用いて画像を形成するときには、前記特定色の画像を形成する前記像形成手段と前記転写体とを接触させ、且つ前記特定色以外の色の画像を形成するそれぞれの前記像形成手段と前記転写体とを離間させるように、前記特定色の画像を形成する像形成手段から最も遠い位置に配置された像形成手段よりも、前記特定色の画像を形成する像形成手段に近い位置を回転中心として、前記転写体および前記現像剤回収手段の位置または姿勢を変更する変更手段と、
支持軸を中心に開閉し、前記像形成手段の一部を自装置に着脱する際に開かれる第１の蓋部と
を備え、
前記特定色以外の色の画像を形成するそれぞれの前記像形成手段に対して、前記転写体を挟んだ上方に前記現像剤回収手段が設けられ、
前記第１の蓋部には、前記転写体および前記現像剤回収手段が取り付けられており、
前記第１の蓋部が閉じた状態では前記収容部が前記除去部よりも重力方向の下方に位置し、前記第１の蓋部が開いた状態では前記収容部が前記除去部よりも重力方向の上方に位置し得る
ことを特徴とする画像形成装置。
【請求項２】
請求項１に記載の画像形成装置において、
前記転写体に転写された画像を記録媒体に転写する二次転写手段と、
前記二次転写手段により記録媒体に転写された画像を定着させる定着手段と、を有し、
前記現像剤回収手段が設けられている位置は、前記二次転写手段により転写が行われる位置よりも、前記二次転写手段による転写を経た前記転写体の搬送方向が反転する位置に近い
ことを特徴とする画像形成装置。
【請求項３】
請求項１または２に記載の画像形成装置において、
前記現像剤回収手段の重力方向上方に設けられた開口部を開放または遮蔽する第２の蓋部を有し、
前記現像剤回収手段の全部または一部が、前記第２の蓋部によって開放された開口部を介して着脱可能である
ことを特徴とする画像形成装置。
【発明の詳細な説明】
【技術分野】
【０００１】
本発明は、画像形成装置に関する。
【背景技術】
【０００２】
電子写真方式の画像形成装置においては、トナー像が形成された感光体ドラムを中間転写ベルトに接触させて二次転写を行う場合がある。この種の画像形成装置には、カラー画像を形成する場合には、イエロー（Ｙ），マゼンタ（Ｍ），シアン（Ｃ），黒（Ｋ）の４色のトナー像がそれぞれ形成された４つの感光体ドラムを中間転写ベルトに接触させる一方、白黒画像を形成する場合には、黒色以外のトナー像を形成する感光体ドラムを中間転写ベルトから離間させ、黒色のトナー像を形成する感光体ドラムのみを中間転写ベルトに接触させる機構を備えているものがある。また、画像形成装置は、中間転写ベルトに付着したトナーをクリーニングするためのクリーニング装置を備えている。特許文献１および２には、中間転写ベルトの姿勢を変えた場合であってもベルトの表面の位置がほとんど移動しないような部分にクリーニング装置を設ける構成、及び中間転写ベルトの姿勢を変えた場合にベルトの表面の位置が最も移動する端部にクリーニング装置を設ける構成が記載されている。
【先行技術文献】
【特許文献】
【０００３】
【特許文献１】特開２００１−２４２６８０号公報
【特許文献２】特開２００７−１０８７８８号公報
【発明の概要】
【発明が解決しようとする課題】
【０００４】
本発明は、画像形成装置の小型化を図ることを目的とする。
【課題を解決するための手段】
【０００５】
上述した課題を解決するため、本発明の請求項１記載の画像形成装置は、複数の色の現像剤を用いて画像を形成する複数の像形成手段と、前記像形成手段によって形成された画像が下方の外周面で転写されるベルト状の転写体であって、ベルトの表面が水平方向に対して傾斜した転写体と、前記転写体において重力方向の上方向の成分を有する方向が法線となる当該転写体の外周面から現像剤を除去し、除去した前記現像剤を通過させる通過部が重力方向の下方を向いて前記外周面と対向して設けられ、前記通過部を通過した現像剤を回収する現像剤回収手段であって、前記転写体のベルト表面に付着した現像剤を除去する除去部と、除去された現像剤を収容する収容部とを備える現像剤回収手段と、複数の色の現像剤を用いて画像を形成するときには、当該複数の色の画像を形成するそれぞれの前記像形成手段と前記転写体とを接触させ、特定色の現像剤のみを用いて画像を形成するときには、前記特定色の画像を形成する前記像形成手段と前記転写体とを接触させ、且つ前記特定色以外の色の画像を形成するそれぞれの前記像形成手段と前記転写体とを離間させるように、前記特定色の画像を形成する像形成手段から最も遠い位置に配置された像形成手段よりも、前記特定色の画像を形成する像形成手段に近い位置を回転中心として、前記転写体および前記現像剤回収手段の位置または姿勢を変更する変更手段と、支持軸を中心に開閉し、前記像形成手段の一部を自装置に着脱する際に開かれる第１の蓋部とを備え、前記特定色以外の色の画像を形成するそれぞれの前記像形成手段に対して、前記転写体を挟んだ上方に前記現像剤回収手段が設けられ、前記第１の蓋部には、前記転写体および前記現像剤回収手段が取り付けられており、前記第１の蓋部が閉じた状態では前記収容部が前記除去部よりも重力方向の下方に位置し、前記第１の蓋部が開いた状態では前記収容部が前記除去部よりも重力方向の上方に位置し得ることを特徴とする。
【０００８】
請求項２記載の画像形成装置は、請求項１に記載の画像形成装置において、前記転写体に転写された画像を記録媒体に転写する二次転写手段と、前記二次転写手段により記録媒体に転写された画像を定着させる定着手段と、を有し、前記現像剤回収手段が設けられている位置は、前記二次転写手段により転写が行われる位置よりも、前記二次転写手段による転写を経た前記転写体の搬送方向が反転する位置に近いことを特徴とする。
【０００９】
請求項３記載の画像形成装置は、請求項１または２に記載の画像形成装置において、前記現像剤回収手段の重力方向上方に設けられた開口部を開放または遮蔽する第２の蓋部を有し、前記現像剤回収手段の全部または一部が、前記第２の蓋部によって開放された開口部を介して着脱可能であることを特徴とする。
【発明の効果】
【００１０】
請求項１記載の画像形成装置によれば、転写体の重力方向上側に現像剤回収手段を配置していない構成に比べて、当該画像形成装置を設置するための占有面積を小さくして小型化を図ることができる。
請求項１記載の画像形成装置によれば、転写体の部分を移動させる場合に比べて、転写体と現像剤回収手段とを離間させることなく、移動が可能となる。
請求項１記載の画像形成装置によれば、除去部で除去した現像剤を回収部で回収することができる。
請求項２記載の画像形成装置によれば、二次転写後に転写体に残った残留現像剤を除去すると共に、定着装置からの熱で回収した残留現像剤が溶解するのを抑えることができる。
請求項３記載の画像形成装置によれば、蓋部を介しての現像剤回収手段の着脱が可能となる。
【図面の簡単な説明】
【００１１】
【図１】本発明の実施形態に係る画像形成装置の構成を模式的に示す図である。
【図２】感光体ユニットを示す断面図である。
【図３】感光体ユニットのシャッター機構の動作を示す図である。
【図４】画像形成装置の外形を示す斜視図である。
【図５】蓋部を開いた状態を示す断面図である。
【図６】トナー回収ユニットを示す断面図である。
【図７】リフト機構の制御系を示すブロック図である。
【図８】リフト機構の動作を模式的に示す図である。
【発明を実施するための形態】
【００１２】
＜１．実施形態＞
例えばプリンタやコピー機などの画像形成装置においては、構成部品のメンテナンスや交換、或いは記録用紙の詰まりなどの不具合を解消する作業を行うために、その筐体の上面や側面などに開閉カバーが設けられている。本実施形態では、このような画像形成装置を例に挙げて説明する。図１は本実施形態に係る画像形成装置の構造を模式的に示す図である。以下、利用者が画像形成装置１を正面から見たときの左右の右方向をＸ（＋）・左方向をＸ（−）、前後の奥方向をＹ（＋）・手前方向をＹ（−）、重力方向の上方をＺ（＋）・下方をＺ（−）として説明する。
【００１３】
＜画像形成装置の構成＞
画像形成装置１は、画像形成ユニットが中間転写ベルトに沿って並列に配置されたタンデム型のフルカラープリンターである。この画像形成装置１の内部には、図示しないスキャナーやパーソナルコンピュータ、或いは電話回線等から送られてくる画像データに対して画像処理を行う画像処理装置（図示せず）が設けられているほか、イエロー（Ｙ），マゼンタ（Ｍ），シアン（Ｃ），黒（Ｋ）の４つの画像形成ユニット２Ｙ，２Ｍ，２Ｃ，２Ｋが設けられる。画像形成ユニット２Ｙ，２Ｍ，２Ｃ，２Ｋは、中間転写ベルトに最初に転写されるイエロー（Ｙ）の画像形成ユニット２Ｙが相対的に高く、中間転写ベルトに最後に転写される黒（Ｋ）の画像形成ユニット２Ｋが相対的に低くなるように、水平方向に対してある角度（例えば、２０度）だけ傾斜した状態で、ある間隔を隔てて並列に配置されている。このように、４つの画像形成ユニット２Ｙ，２Ｍ，２Ｃ，２Ｋを、ある角度だけ傾斜した状態で配置することにより、これら４つの画像形成ユニット２Ｙ，２Ｍ，２Ｃ，２Ｋを水平に配置した場合に比較して、画像形成装置１の幅方向（Ｘ軸方向）の距離が短くなる。
【００１４】
これらの４つの画像形成ユニット２Ｙ，２Ｍ，２Ｃ，２Ｋは、基本的に同じ構成であるため、以下、これらを特に識別して説明する必要のない場合には画像形成ユニット２と総称する。
画像形成ユニット２は、像保持体となる感光体ドラム４や帯電装置などを備えた感光体ユニット３と、現像器５とを具備している、感光体ユニット３は装置本体４０に対して着脱可能であり、現像器５はフレーム（図示せず）を介して装置本体４０側に固定されている。
【００１５】
画像形成ユニット２Ｙ，２Ｍ，２Ｃ，２Ｋの下部には、画像形成ユニット２Ｙ，２Ｍ，２Ｃ，２Ｋに共通の画像露光装置６が設けられる。この画像露光装置６は、Ｙ，Ｍ，Ｃ，Ｋの各色の画像データに応じて変調されたレーザービームを射出する半導体レーザー（いずれも図示せず）を４つ備えている。これらの半導体レーザーから射出された４本のレーザービームは、ポリゴンミラーによって偏向され、レンズやミラー（いずれも図示せず）を介して、画像形成ユニット２Ｙ，２Ｍ，２Ｃ，２Ｋの感光体ドラム４の表面を走査し、静電潜像を書き込む。感光体ドラム４に形成された静電潜像は、現像器５Ｙ，５Ｍ，５Ｃ，５Ｋによって、各色のトナーを含む現像剤で現像されてトナー像となる。各々の画像形成ユニット２Ｙ，２Ｍ，２Ｃ，２Ｋの感光体ドラム４に順次形成された各色のトナー像は、各画像形成ユニット２Ｙ，２Ｍ，２Ｃ，２Ｋの上方に配置される中間転写体としての中間転写ベルト１０の下方の外周面に、それぞれ一次転写ロール１１によって多重に転写される。
【００１６】
中間転写ベルト１０は、ドライブロール１２、テンションロール１３およびアイドラーロール１４などの複数のロールによって張架された無端のベルト状部材であり、駆動モーター（図示せず）によって回転駆動されるドライブロール１２により、矢印Ａ方向に循環駆動されるようになっている。この中間転写ベルト１０は、その下辺に相当する領域は、その走行方向の下流側が重力方向の下方、且つ上流側が重力方向の上方となるように、水平方向に対して傾斜した状態で配置されている。中間転写ベルト１０は、この下辺に相当する領域において、画像形成ユニット２Ｙ，２Ｍ，２Ｃ，２Ｋの感光体ドラム４Ｙ，４Ｍ，４Ｃ，４Ｋに接触している。この中間転写ベルト１０としては、例えば、可撓性を有するポリイミド等の合成樹脂フイルムを帯状に形成し、この帯状に形成された合成樹脂フイルムの両端を溶着等の手段によって接続することにより、無端ベルト状に形成したものが用いられる。
これらの中間転写ベルト１０、各一次転写ロール１１、ドライブロール１２、テンションロール１３およびアイドラーロール１４等は、中間転写ユニット９を構成する。
【００１７】
記録媒体としての記録用紙１８は、画像形成装置１の内部に配置された用紙収容部２４から規定のサイズおよび材質のものが、各ロールによって形成された搬送路２１に沿って搬送される。この搬送路２１では、用紙収容部２４内の記録用紙１８が、給紙ロール２５および用紙分離搬送用のロール２６により１枚ずつ分離された状態でレジストロール２８まで一旦搬送され、停止される。そして、この記録用紙１８は、予め決まったタイミングで回転駆動されるレジストロール２８によって中間転写ベルト１０の二次転写位置へ送出される。この二次転写位置には、中間転写ベルト１０の表面に突き当たった状態で接触する二次転写ロール１７が配置される。中間転写ベルト１０上に多重に転写されたイエロー（Ｙ），マゼンタ（Ｍ），シアン（Ｃ），黒（Ｋ）のトナー像は、ドライブロール１２に圧接する二次転写ロール１７によって、圧接力および静電気力で記録用紙１８上に二次転写される。この二次転写を経て各色のトナー像が転写された記録用紙１８は、定着器１９によって熱および圧力が加えられる定着処理を経た後、排出ロール２０によって画像形成装置１の上部に設けられた用紙受部２３上に排出される。なお、搬送路２１には、記録用紙１８の表裏を反転させる反転機構２２が備えられている。
【００１８】
ここで、図２および図３を参照しつつ、感光体ユニット３の構造について説明する。図２は感光体ユニット３の断面図、図３は感光体ユニット３に設けられるシャッター機構の動作を示す図である。
図２に示されるように、感光体ユニット３の外形をなす感光体ユニット本体３０１には、感光体ドラム４と、その感光体ドラム４の表面を均一に帯電する帯電ロール３０３を有する帯電装置３０２と、感光体ドラム４表面のトナーを掻き落とすクリーニング部材３０４とが収容されている。（図３（ｂ）参照）
【００１９】
感光体ドラム４Ｙは、矢印Ｂ方向に回転する際に、その表面が帯電装置３０２の帯電ロール３０３により均一に帯電される。この帯電された表面には、画像露光装置６からのレーザビームによって静電潜像が書き込まれる。静電潜像には現像器５により現像されてトナー像が形成される。このトナー像は、一次転写ロール１１（図１参照）によって中間転写ベルト１０に転写される。クリーニング部材３０４は、感光体ドラム４の回転軸方向に長手方向を有する板状の部材であり、この感光体ドラム４の表面に接している。このクリーニング部材３０４は、中間転写ベルト１０への転写後に感光体ドラム４の表面に残留したトナーを掻き落とし、掻き落とされたトナーは、感光体ユニット本体３０１に形成された回収室３０５内に回収される。
【００２０】
また、感光体ユニット３には、感光体ドラム４の一部（以下、露出部４Ａという）を、外部に対して開閉したり遮蔽したりするシャッター機構３０６が設けられる。このシャッター機構３０６は、感光体ユニット本体３０１に支持される板状の起端側部材３０６Ａと、この起端側部材３０６Ａの先端側に軸３０６Ｃを介して支持される板状の先端側部材３０６Ｂと、を有する。起端側部材３０６Ａは矢印ａ方向に回転可能であり、先端側部材３０６Ｂは矢印ｂ方向に回転可能である。このシャッター機構３０６の開閉動作は、後述する蓋部４５の開閉動作に連動して行われる。
つまり、蓋部４５が開いた状態にあっては、図３（ａ）に示すように、先端側部材３０６Ｂが露出部４Ａを覆う位置となる。一方、蓋部４５が閉まった状態にあっては、起端側部材３０６Ａが矢印ａ方向に回転し、先端側部材３０６Ｂが矢印ｂ方向に回転して、図３（ｂ）に示すように、起端側部材３０６Ａおよび先端側部材３０６Ｂが折り畳まれた状態となり、感光体ユニット本体３０１が開かれて感光体ドラム４の露出部４Ａが外部に露出することになる。蓋部４５が開いた状態にあっては、シャッター機構３０６によって回収室３０５が遮蔽されるから、回収室３０５内のトナーが外部に飛散することはない。
【００２１】
＜装置本体の構成＞
次に、画像形成装置１の構造について、図１、図４および図５を参照しつつ説明する。図４は画像形成装置１の外観を示す斜視図、図５は蓋部を開いたときの画像形成装置１の内部の状態を示す図である。
画像形成装置１の装置本体４０には、支持軸４２を中心にして開閉可能な側面側開閉部４１が取り付けられる。この側面側開閉部４１には、さらに供給用開閉部４３が開閉自在に設けられる。この供給用開閉部４３は、通常は側面側開閉部４１に対して閉じられているが、用紙収容部２４に収納されたシートとは異なる種類のシートを用いる際に、側面側開閉部４１に対して開かれて、ここからそのシートが搬送路２１に供給される。
【００２２】
また、装置本体４０の上面には、支持軸４６を中心にして開閉可能な蓋部４５が設けられている。蓋部４５の上側の面は、トナー像が形成された記録用紙１８が排出される用紙受部２３となる。また、装置本体４０の上面には、操作部４９が取り付けられている。この操作部４９は、例えば、シートの枚数などを入力するテンキーなどを有する。
【００２３】
蓋部４５は、通常は装置本体４０に対して閉じられており、感光体ユニット３Ｙ、３Ｍ、３Ｃ、３Ｂを装置本体４０内に着脱する際に開かれる。蓋部４５の内側に取り付けられた中間転写ユニット９が側面側開閉部４１に干渉するのを防止するため、蓋部４５を開くのに先立って、まず、側面側開閉部４１が装置本体４０に対して開かれる。一方、側面側開閉部４１を装置本体４０に対して閉じる際には、側面側開閉部４１を閉じるのに先立って、まず、蓋部４５が装置本体４０に対して閉じられる。
【００２４】
蓋部４５には、この蓋部４５に対して開閉可能なサブ蓋部４７が取り付けられている。このサブ蓋部４７は、蓋部４５とは独立して開閉し、蓋部４５が装置本体４０に対して閉じられた状態であっても、蓋部４５の開口部４８を開いた状態とすることができる。サブ蓋部４７は、トナー回収ユニット５０の全部又は一部を装置本体４０に対して着脱する際に開かれる。
【００２５】
トナー回収ユニット５０は、中間転写ベルト１０の重力方向の上方（Ｚ（＋）側）で、かつ当該中間転写ベルト１０の上辺に相当する領域の走行方向下流側（即ち、重力方向の上方）に設けられる。よって、トナー回収ユニット５０は、ドライブロール１２よりも、テンションロール１３に近い位置に配置されていることになる。このトナー回収ユニット５０は、中間転写ベルト１０の表面に接して、その表面に付着したトナーを掻き落とす除去部となるクリーニング部材５１と、掻き落とされたトナーを通過させる通過部５２と、通過部５２を通過したトナーを回収する回収部となる回収室５３とを有する。トナー回収ユニット５０の全部或いは一部は、サブ蓋部４７を開くことによって形成される開口部４８を介して着脱可能となる。また、通過部５２は、重力方向の下方（Ｚ（−）側）を向いて中間転写ベルト１０の外周面と対向して、回収ユニット本体５０１に形成される。
中間転写ベルトユニット９およびトナー回収ユニット５０は、蓋部４５に取り付けられており、二次転写ロール１７は装置本体４０に取り付けられている。前述したように、中間転写ベルト１０は、テンションロール１３側がドライブロール１２よりも重力方向の上方（Ｚ（＋）側）となるように、傾斜して配置されているから、トナー回収ユニット５０は、クリーニング部材５１よりも回収室５３が重力方向に下方の位置となるように配置される。
【００２６】
＜トナー回収ユニットの構成＞
図６は、トナー回収ユニット５０を示す断面図である。トナー回収ユニット５０は、図６に示すように、中間転写ベルト１０の重力方向の上方（Ｚ（＋））の成分を有する方向が法線となる、中間転写ベルト１０の外周面から現像剤（トナー）を除去して回収する現像剤回収手段となる。このトナー回収ユニット５０は、フレーム（図示せず）を介して蓋部４５に固定された回収ユニット本体５０１と、この回収ユニット本体５０１に着脱可能なトナー回収容器５１０と、を具備する。回収ユニット本体５０１には、通過部５２と繋がる一次収容室５０２と排出口５０３とが形成されている。排出口５０３は、中間転写ベルト１０の表面から除去された現像剤を回収ユニット本体５０１外に排出するために用いられる。この排出口５０３は、中間転写ベルト１０の幅方向（中間転写ベルト１０が移動する方向と交わる方向）において中間転写ベルト１０の略全域に渡って形成されている。また、回収ユニット本体５０１には、被係合部となる凹部５０４が形成されている。
【００２７】
トナー回収ユニット５０のクリーニング部材５１は、先端が中間転写ベルト１０に接触していて、この接触した部分で中間転写ベルト１０の表面に残留したトナーを掻き落とす。また、トナー回収ユニット５０は、トナー掻き上げ部材５０５を有している。このトナー掻き上げ部材５０５は、矢印ｃ方向に回転し、クリーニング部材５１によって掻き落とされて通過部５２を通過して一次収容室５０２に貯まったトナーを排出口５０３へ向けて搬送する。また、トナー回収ユニット５０は、トナー回収容器５１０が満杯であるか否かを検知する満杯検知センサ５０６を有する。
【００２８】
また、回収ユニット本体５０１は、排出口シャッタ５０７を有する。排出口シャッタ５０７は、排出口５０３を開放する開放位置と、排出口５０３を封止する封止位置との間で、回収ユニット本体５０１に対する位置を移動する排出口封止部として用いられている。排出口シャッタ５０７には、係合部として用いられる凸部５０８が、トナー回収容器５１０側に突出するように形成される。
【００２９】
トナー回収容器５１０は、容器本体５１１を有している。この容器本体５１１には、中間転写ベルト１０から除去されて回収されたトナーを収容する回収室５３が形成されるとともに、回収口５１２が形成されている。回収口５１２は、トナー回収ユニット５０で除去された現像剤を受け入れるために用いられ、中間転写ベルト１０の幅方向（中間転写ベルト１０が移動する方向と交わる方向）において中間転写ベルト１０の略全域に渡って形成されている。
【００３０】
また、トナー回収容器５１０には、被係合部として用いられ、排出口シャッタ５０７に形成された凸部５０８が嵌り込む凹部５１３が形成されている。この凹部５１３には、トナー回収容器５１０が回収ユニット本体５０１に装着された状態で凸部５０８が嵌り込む。また、トナー回収容器５１０は、トナー搬送部材５１４を有し、このトナー搬送部材５１４は、矢印ｄ方向に回転することで、回収口５１２から回収されたトナーを容器本体５１１内の奥側（左側）へと搬送する。
【００３１】
また、トナー回収容器５１０は、回収口シャッタ５１５を有する、回収口シャッタ５１５は、回収口５１２を開放する開放位置と、回収口５１２を封止する封止位置との間で、容器本体５１１に対する位置を移動する回収口封止部として用いられている。回収口シャッタ５１５が開放位置に配置された状態が示されている。回収口シャッタ５１５には、係合部として用いられる凸部５１６が、回収ユニット本体５０１側に突出形成されている。この凸部５１６は、トナー回収容器５１０が回収ユニット本体５０１に装着された状態において、回収ユニット本体５０１に形成された凹部５０４に嵌り込む。
【００３２】
図６に示すように、回収ユニット本体５０１にトナー回収容器５１０を装着した状態にあっては、回収ユニット本体５０１の排出口シャッタ５０７と、トナー回収容器５１０の回収口シャッタ５１５とが、いずれも開放位置となるため、トナー掻き上げ部材５０５のある一次収容室５０２と回収室５３とが繋がり、クリーニング部材５１で中間転写ベルト１０の表面から除去されたトナーが回収室５３へ搬送される。一方、トナー回収容器５１０を矢印ｅ方向に回転させると、回収ユニット本体５０１の排出口シャッタ５０７と、トナー回収容器５１０の回収口シャッタ５１５とは、いずれも封止位置となるため、回収ユニット本体５０１内のトナーおよびトナー回収容器５１０内のトナーを封止する。
【００３３】
＜リフト機構の構成＞
画像形成装置１は、軸６１を回転中心として、中間転写ユニット９およびトナー回収ユニット５０の位置または姿勢を変更する変更手段となるリフト機構６０を備えている。このリフト機構６０は、蓋部４５側に設けられ、軸６１を回転中心として回転可能なフレーム（図示せず）と、このフレームを回転移動させるためのカムと、このカム６４を回転させる駆動モータ６３と、を備える。フレームには、中間転写ユニット９とトナー回収ユニット５０とが固定される。つまり、リフト機構６０は、黒（Ｋ）色の画像形成ユニット２Ｋから最も遠い位置に配置されたイエロー（Ｙ）色の画像形成ユニット２Ｙよりも、前記画像形成ユニット２Ｋに近い位置の軸６１が回転中心となり、中間転写ベルト１０（中間転写ユニット９）およびトナー回収ユニット５０の位置または姿勢を変更する。そして、このリフト機構６０により、カラー画像形成時と、白黒画像形成時とで、中間転写ユニット９の傾斜角度が変更される。
このリフト機構６０の制御系は、図７に示すブロック図のように、画像形成装置１に備えられたマイクロコンピュータからなるコントローラ６２によって動作制御される。、このコントローラ６２は、画像データを解析して、その画像データを用いた画像形成処理がカラー画像形成であるか特定色の黒色のトナーのみを使用した白黒画像形成であるかを判断する。
【００３４】
リフト機構６０は、画像データがカラー画像形成である場合には、図８において実線で示す位置に軸６１を回転中心にして矢印Ｃ方向に中間転写ユニット９を回転させる。一方、白黒画像形成である場合には、リフト機構６０は、図８の二点鎖線で示す位置に中間転写ユニット９を回転させる。これにより、カラー画像形成時には、中間転写ベルト１０の下辺に相当する領域を感光体ドラム４Ｙ，４Ｍ，４Ｃ，４Ｋに接触させ、白黒画像形成時には、中間転写ベルト１０の下辺に相当する領域を感光体ドラム４Ｋのみに接触させ、他の色の感光体ドラム４Ｙ，４Ｍ，４Ｃから離間させる。
このリフト機構６０のいずれの動作状態であっても、フレームを介して互いに固定された中間転写ユニット９とトナー回収ユニット５０とは、一体となって回転するため、中間転写ユニット９とトナー回収ユニット５０との位置関係は変化しない。
【００３５】
このように構成される画像形成装置１にあっては、トナー回収ユニット５０が、中間転写ベルト１０の重力方向の上方（Ｚ（＋）側）で、かつ当該中間転写ベルト１０の上辺に相当する領域の走行方向下流側（即ち、重力方向の上方）に設けられる。この中間転写ベルト１０を含む中間転写ユニット９とトナー回収ユニット５０は、蓋部４５に軸６１を回転中心として回転可能なフレームおよびリフト機構６０を介して固定される。これにより、トナー回収ユニット５０が中間転写ユニット９（中間転写ベルト１０）と一緒に傾斜する。
一方、トナー回収ユニットを上記のような位置に配置していない画像形成装置について検討すると、トナー回収ユニットを例えば中間転写ベルトの下辺に相当する領域において二次転写位置よりも走行方向下流側（例えばテンションロール１３の直下周辺など）に配置する場合には、画像形成装置１の幅方向（Ｘ軸方向）又は画像形成装置１の高さ方向（Ｚ軸方向）の寸法が大きくなってしまう。特に、中間転写ベルト１０の下方は、感光体ユニット３、画像露光装置６、電気基板ユニット、電源ユニット７などの各部品が密集している領域であるから、トナー回収ユニットを配置し得るようなスペースを確保しようとすると、画像形成装置１の幅方向（Ｘ軸方向）又は画像形成装置１の高さ方向（Ｚ軸方向）の寸法を大きくせざるを得ない。
電源ユニット７を避けてトナー回収ユニット５０を配置する場合の例を、図１および図９を参照して説明する。図１に示すように、装置本体４０の右側（Ｘ（＋）側）の空間には、電源ユニット７が設けられている。なお、この空間には、電源ユニット７のみでなく、当該画像形成装置１を動作制御するための電子回路が実装された電気基板を収容する電気基板ユニット等も配置されているが、ここでは、電源ユニット７として説明する。この配置において、図１に示すように、テンションロール１３の下側（Ｚ（−）側）に二点鎖線で示すトナー回収ユニット５０Ａを配置しようとすると、トナー回収ユニット５０Ａが重なる電源ユニット７，現像器５Ｙを避けるために、画像形成装置１の幅方向（Ｘ軸方向）に大きくせざるを得ない。しかも、図８に示すように、テンションロール１３の下側（Ｚ（−）側）に位置したトナー回収ユニット５０Ａも中間転写ユニット９の移動に追従させなくてはならないため、画像形成装置１の高さ方向（Ｚ軸方向）も大きくせざるを得ない。
また、トナー回収ユニットを、例えば中間転写ベルトの上辺に相当する領域においてその走行方向上流側（例えばドライブロール１２の通過直後など）に配置する場合には、定着装置に近い位置にトナー回収ユニットが位置することになる。このような場合には、トナー回収ユニット内の回収トナーが定着装置から伝わる熱で溶解してしまうなどの虞がある。特に、近年トナーの融点がこれまでのトナーと比べて低い低融点トナーを用いる場合には、定着装置に近い位置にトナー回収ユニットを設けることは難しい。断熱壁などを用いて且つ冷却ファンなどを併用することも考えられるが、断熱壁や通風路を確保するためのスペースが必要となり、画像形成装置１の幅方向（Ｘ軸方向）又は画像形成装置１の高さ方向（Ｚ軸方向）の寸法を大きくせざるを得ない。また、定着装置の近辺は定着装置の熱を遮断する為の定着装置の筐体が設けられ、用紙受部２３の用紙収容性のために必要な（Ｚ（−）方向に）最も下がった底部が存在するので、トナー回収ユニットを配置し得るようなスペースを確保しようとすると、画像形成装置１の幅方向（Ｘ軸方向）又は画像形成装置１の高さ方向（Ｚ軸方向）の寸法を大きくせざるを得ない。
【００３６】
これに対し、本実施形態に係る画像形成装置１では、トナー回収ユニット５０が中間転写ベルト１０の上方に設けられているため、この位置にトナー回収ユニットを配置していない画像形成装置に比べ、画像形成装置１の幅方向（Ｘ軸方向）の寸法は小さくなる。特に、画像形成装置に対しては、設置される場所の占有面積を小さくすることが求められるから、画像形成装置の幅方向の寸法を小さくすることをの意義は大きい。また、定着装置からの熱で回収トナーが溶解するという問題も発生しづらい。また、用紙受部２３の用紙収容性の為に必要な（Ｚ（−）方向に）最も下がった底部から用紙排出方向側に離れた用紙受部２３の部位は、除々に上方（Ｚ（＋）方向）向いた傾斜面となっているので、当該傾斜面の用紙排出方向側の下方、即ち蓋部４５の裏側は、傾斜面を適宜設定することでスペースを確保し易く、部品が密集していないため、トナー回収ユニット５０を配置するのにも都合がよい。
さらに、感光体ユニット３Ｙ，３Ｍ，３Ｃ，３Ｋ、および中間転写ユニット９等を斜めに配置することにより、水平に配置した場合に比較して、幅方向（Ｘ軸方向）の寸法をより短くして、さらに小型化が図られる。
【００３７】
また、トナー回収ユニット５０はトナーを回収する回収室５３を備えているため、回収したトナーを搬送する搬送路を設ける必要がない。よって、トナー回収ユニット５０を、リフト機構６０による中間転写ベルト１０の移動と一緒に移動させられる。
また、トナー回収ユニット５０においては、クリーニング部材５１よりも除去したトナーを受け入れる一次収容部５０２が重力方向の下方の位置となるため、この位置関係にないトナー回収ユニットに比べて、クリーニング部材５１で除去したトナーが自重の作用によって回収ユニット本体５０１の一次収容部５０２に移動し易くなる。また、リフト機構６０によって、図８に示すように、中間転写ユニット９およびトナー回収ユニット５０が傾斜するように移動されるため、この移動の際に発生する振動によって、トナー回収ユニット５０内に回収されて堆積したトナーが崩される。
【００３８】
ここで、トナー回収ユニット５０におけるトナーの移動を、図６により説明する。図６に示すように、クリーニング部材５１により中間転写ベルト１０の表面から除去されたトナーは、トナー掻き上げ部材５０５およびトナー搬送部材５１４によって収容室５２の奥側に搬送される。しかし、トナー搬送部材５１４は、ブレード等による円運動であるため、このブレードが届かない位置で、堆積したトナーＴ１となることがある。このような場合でも、リフト機構６０が中間転写ユニット９およびトナー回収ユニット５０を矢印Ｃ方向傾斜するように移動させることで、堆積したトナーＴ１が、山が崩れたトナーＴ２となる。この動作は、カラー画像形成時と白黒画像形成時とで傾斜を変える動作を行うようにしたが、堆積したトナーの山を崩すために、定期的に繰り返して行わせてもよい。
【００３９】
また、リフト機構６０は、中間転写ベルト１０を備えた中間転写ユニット９およびトナー回収ユニット５０をフレームに固定して、このフレームを軸６１を回転中心として回転移動させるように構成しているため、中間転写ベルト１０を支持する支持ローラを個々に移動させて中間転写ベルト１０から感光体ドラムを離間させる構成に比べ、中間転写ベルト１０およびトナー回収ユニット５０の移動を容易にする。
さらに、装置本体４０の上側に位置した蓋部４５に開閉自在に設けられたサブ蓋部４７を開くことにより、トナー回収ユニット５０の着脱、或いはトナー回収容器５１０の着脱が自在となる。
【００４０】
＜２．変形例＞
上記実施形態を次のように変形してもよい。
＜２−１＞
実施形態においては、トナー回収ユニット５０を、回収ユニット本体５０１にトナー回収容器５１０を着脱自在とする構成としたが、トナー回収ユニット５０内にトナー回収室を備える構成であってもよい。
【００４１】
＜２−２＞
前記実施形態では、特定色を黒色とした場合を例示したが、本発明はこれに限らず、他の色でもよく、この場合であっても、特定色の画像形成ユニットを画像形成ユニット列の端に位置させればよい。
また、前記実施形態では、プリンターを例示したが、上記した如く、感光体ユニット３Ｙ，３Ｍ，３Ｃ，３Ｋ、および中間転写ユニット９等を斜めに配置した他の画像形成装置となる複写機、ファクシミリ等に適用してもよいことは勿論である。
【符号の説明】
【００４２】
１…画像形成装置、２…画像形成ユニット（像形成手段）、３…感光体ユニット、４…感光体ドラム、５…現像器、６…画像露光装置、９…中間転写ユニット、１０…中間転写ベルト（転写体）、１１…一次転写ロール、１７…二次転写ロール、１９…定着器、２４…用紙収容部、４０…装置本体、４１…側面側開閉部、４２…支持軸、４３…供給用開閉部、４５…蓋部、４６…支持軸、４７…サブ蓋部、４９…操作部、５０…トナー回収ユニット（現像剤回収手段）、５１…クリーニング部材、５２…通過部、５３…回収室、６０…リフト機構（変更手段）、６１…軸、６２…コントロール、６３…駆動モータ、６４…カム、５０１…回収ユニット本体、５０２…一次収容室、５０３…排出口、５０４…凹部、５０５…部材、５０６…満杯検知センサ、５０７…排出口シャッタ、５０８…凸部、５１０…トナー回収容器、５１１…容器本体、５１２…回収口、５１３…凹部、５１４…トナー搬送部材、５１５…回収口シャッタ、５１６…凸部
【図１】
0005471390.tif 000002
【図２】
0005471390.tif 000003
【図３】
0005471390.tif 000004
【図４】
0005471390.tif 000005
【図５】
0005471390.tif 000006
【図６】
0005471390.tif 000007
【図７】
0005471390.tif 000008
【図８】
0005471390.tif 000009